(57)【要約】【課題】  保持部内の視認性を良好にでき、外観特性を維持して使い勝手を向上する。【解決手段】ホルダー本体１が、容器を出し入れする凹状の保持部１１Ａ，１１Ｂと、前記保持部内へ突設されて保持部に収容される容器の周囲に弾接する容器周囲拘束用のフラップ２と、外部に設けられた光源６からの光を前記保持部内へ導く導光部材５とを備えているカップホルダーにおいて、前記保持部１１Ａ，１１Ｂが光を透過しない材料で、前記フラップ２が光を透過する材料でそれぞれ形成されていると共に、導光部材５が光源６からの光を下側から前記フラップに向けて照射可能に設けられている。【選択図】        図６
2006069356.tif 000002
【特許請求の範囲】
【請求項１】
ホルダー本体が、容器を出し入れする凹状の保持部と、前記保持部内へ突設されて保持部に収容される容器の周囲に弾接する容器周囲拘束用のフラップと、外部に設けられた光源からの光を前記保持部内へ導く導光部材とを備えているカップホルダーにおいて、
前記保持部が光を透過しない材料で、前記フラップが光を透過する材料でそれぞれ形成されていると共に、前記導光部材が光源からの光を下側から前記フラップに向けて照射可能に設けられていることを特徴とするカップホルダー。
【請求項２】
前記フラップが透明又は半透明の平板状に形成されている請求項１に記載のカップホルダー。
【請求項３】
前記フラップにシボ加工を施している請求項１又は２に記載のカップホルダー。
【請求項４】
前記フラップは、前記保持部を区画している区画部の上面に取り付けられ、かつ、前記保持部内に突出している部分を除いて光を透過しないカバー材により覆われている請求項１から３の何れかに記載のカップホルダー。
【請求項５】
前記ホルダー本体は、前記保持部を区画している区画部を介して前後又は左右に有しており、前記フラップが前記各保持部に対応したフラップ部分を形成していると共に、前記導光部材が同じ光源からの光を前記各フラップ部分に向けてそれぞれ照射可能になっている請求項１から４の何れかに記載のカップホルダー。
【発明の詳細な説明】
【技術分野】
【０００１】
本発明は、ホルダー本体が凹状の保持部を有し、該保持部内に飲料缶等の容器を出し入れするカップホルダーに関するものである。
【背景技術】
【０００２】
図７のカップホルダーは特許文献１に開示されているものである。この構造では、ホルダー本体５０が、容器を出し入れする凹状の保持部５１と、保持部５１に対応して設けられている容器周囲拘束用のフラップ（押さえ部材）５２と、外部に設けられた光源（ＬＥＤ）５３からの光を保持部５１内へ導く導光部材（導光体）５４とを備えている。また、導光部材５１は、保持部５１の下部一側から保持部底面に沿って配置されており、光源５３の光を保持部５１の底面中央の開口５５より保持部内の上向きに照射する。なお、このフラップ５２は、軸５６を介して揺動可能に枢支されていると共に、不図示のスプリングの付勢力にて同図のごとく略水平となる非使用位置から、保持部５１内に収容される容器に当たって下向きに傾斜し先端を容器周囲に弾接する使用位置に切り換えられる。符号５７はフラップ５２の揺動範囲を規制する規制部である。
【０００３】
【特許文献１】特開２００２−１４４９６５号公報
【発明の開示】
【発明が解決しようとする課題】
【０００４】
上記した構造では、光源５３の光を導光部材５４を介して照射するため、光源５３を邪魔にならずかつ当たり難い箇所に設置でき、又、光源５３の光を保持部５１内の任意の箇所から照射できるようにし易い。しかしながら、保持部５１内で光を照射した場合には、フラップ５２が光を透過しない材料（樹脂材）であるため、フラップ５２により影ができてかえって保持部５１内の視認性を悪化し易くなることも多い。この点は、例えば、保持部５１内を区画している縦壁の上側より照射しても同様である。そこで、本発明の目的は、上述した課題を簡易な構成により解消して、保持部内の視認性を良好にでき、外観特性を維持して使い勝手を向上することにある。
【課題を解決するための手段】
【０００５】
上記目的を達成するため本発明は、ホルダー本体が、容器を出し入れする凹状の保持部と、前記保持部内へ突設されて保持部に収容される容器の周囲に弾接する容器周囲拘束用のフラップと、外部に設けられた光源からの光を前記保持部内へ導く導光部材とを備えているカップホルダーにおいて、前記保持部が光を透過しない材料で、前記フラップが光を透過する材料でそれぞれ形成されていると共に、前記導光部材が光源からの光を下側から前記フラップに向けて照射可能に設けられていることを特徴としている。
【０００６】
以上の本発明では、従来構造に比べて、フラップが光透過性の材料で形成されており、光源の光が導光部材を通って下側からその光透過性フラップに向けて照射されることから、従来のようにフラップに起因した影ができず、フラップを中心として保持部内の全体を合理的に照明できる。この構造では、前記フラップが透明又は半透明の平板状に形成されていること（請求項２）、前記フラップにシボ加工を施していること（請求項３）、前記フラップは前記保持部を区画している区画部の上面に取り付けられ、かつ、前記保持部内に突出している部分を除いて光を透過しないカバー材により覆われていること（請求項４）、前記ホルダー本体は前記保持部を区画している区画部を介して前後又は左右に有しており、前記フラップが前記各保持部に対応したフラップ部分を形成していると共に、前記導光部材が同じ光源からの光を前記各フラップ部分に向けてそれぞれ照射可能になっていること（請求項５）が好ましい。
【発明の効果】
【０００７】
以上の本発明は次のような効果を有している。
・請求項１の発明では、光源の光が導光部材を通って下側からフラップに向けて照射されると、光がフラップを通り抜ける関係で、従来のようにフラップに起因した影が生じなくなる。この結果、本発明では、フラップ及び保持部内を照明でき、それにより視認性を良好にして、車室等における使い勝手を向上できる。
・請求項２の発明では、簡易なフラップ構成により経費を抑えて実施できるようにする。
・請求項３の発明は、フラップがシボ加工されていると、光の一部が乱反射したり散光してフラップ全体を淡く光らせ、それにより視認性を良好にしたり高級感を付与できるようにする。
・請求項４の発明は、フラップの取付性及び視認性に加え、光がフラップ取付部から漏れないようにして外観特性も維持可能にする。
・請求項５の発明は、例えば、保持部が複数で構成される場合にも、単一の光源で照射して簡易化を実現できるようにする。
【発明を実施するための最良の形態】
【０００８】
本発明の形態例について図面を参考しながら説明する。なお、図１はカップホルダーのホルダー本体を示す概略構成図、図２はホルダー本体の上面図、図３はホルダー本体の側面図、図４はホルダー本体の前後中間で断面した図、図６はホルダー本体の要部を模式的に断面した図である。図５は導光部材を示し、同（ａ）は正面図、（ｂ）は右側面図、（ｃ）は斜視図である。以下の説明では、装置構造を詳述した後、作動に言及する。
【０００９】
（装置構造）形態例のカップホルダーは、例えば、自動車のセンターコンソール等に組み込まれるもので、図１〜図４に示されるように、ホルダー本体１が前後略中間に位置する区画部１０を挟んだ前後部１ａ，１ｂに２つの円筒状保持部１１Ａ，１１Ｂ及び２つの矩形筒状保持部１２Ａ，１２Ｂを形成していると共に、区画部１０の上面に付設されて前後の円筒状保持部１１Ａ，１１Ｂに収容される容器の周囲に弾接する容器周囲拘束用のフラップ２と、フラップ２の取付部を覆うカバー材３と、区画部１０の背面側に設けられた配置部１７に枠部材４を介して保持されている導光部材５と、導光部材５の基端５ａ側に対向して設けられている光源（ＬＥＤ）６とを備えている。
【００１０】
なお、ホルダー本体１は、光を透過しない樹脂成形体であり、上面に突設された比較的高い前後壁部１９ａ，１９ｂ及び左右に突設された比較的低い側壁１９ｃ，１９ｃを有している。そして、細部的には、図４に一点鎖線で示したようにリッド半体６Ａ，６Ｂが開閉機構（例えば、特願２００４−１４１６１６に記載の機構）を介して左右に回動可能に組み付けられ、保持部１１Ａ，１１Ｂに容器を収容したり保持部１２Ａ，１２Ｂに容器や携帯電話等の物品を収容したり保持する際に開操作される。前側の保持部１１Ａと保持部１２Ａ、後側の保持部１１Ｂと保持部１２Ｂはそれぞれ幅方向に並んでいると共に、縦方向に欠如した開口１３を介して連通されている。
【００１１】
区画部１０の上側は、左右部分及び幅方向の一部を除いて一段低い段差面１４に形成されている。段差面１４には、カバー材３を取り付ける４つの係合穴１５と、フラップ２を位置決めする２つの筒状ボス１６と、導光部材５を露出する２つの小窓１４ａとが設けられている。係合穴１５は、段差面１４の左右及び略中間部に設けられている。ボス１６は段差面１４の左右に突設されている。小窓１４ａは、段差面１４の左右に位置し、かつ段差面１４の縁部分のうち各保持部１１Ａ，１１Ｂの中央部に位置した状態で設けられている。これに対し、区画部１０の下側ないしは背面側は、両側の縦壁１８及び各保持部を形成している突出部とで区画されている逆凹状の配置部１７となっている。縦壁１８には係合穴１８ａが設けられている。
【００１２】
そして、段差面１４には、フラップ２がカバー材３により押さえられた状態で取り付けられる。ここで、フラップ２は、透明又は半透明のシリコンゴム製からなり、細くなった中間部２１の両側に保持部１２Ａ内に突出するフラップ部分２０Ａと保持部１２Ｂ内に突出するフラップ部分２０Ｂとを形成している。フラップ２の材質は弾性変位可能であると共に光が透過する材料であればよい。各フラップ部分２０Ａ，２０Ｂには、少なくとも保持部１１Ａ，１１Ｂに突出される部分にシボ加工が施されていると共に、段差面１４上のボス１６を挿通する孔２３が設けられている。また、フラップ部分２０Ａ，２０Ｂの先端２２は円弧状に形成されている。一方、カバー材３は、段差面１４に対応した形状からなると共に、光を透過しない樹脂成形品である。下面には、前記係合穴１５に弾性的に係合する係止爪３ａと、ボス１６の筒内に差し込まれる軸部３ｂとが下設されている。
【００１３】
取付操作では、フラップ２が図１に示されるごとく段差面１４上にボス１６と孔２３との係合を伴って配置された後、カバー材３が軸部３ｂをボス１６の筒内に挿入しかつ各係止爪３ａを対応する係合穴１５に係止することで位置固定される。取付状態では、図２及び図６に示されるごとくフラップ２が段差面１４とカバー材３との間に挟持され、かつ、フラップ部分２０Ａ，２０Ｂの先端側が保持部１１Ａ，１１Ｂの内側へ突出される。
【００１４】
これに対し、配置部１７には、導光部材５が枠部材４などを介して取り付けられていると共に、光源６がホルダー８及び該ホルダー用取付板７を介して装着されている。枠部材４は、中央部に略コ形の空間部を形成していると共に、両側に設けられた係止爪４ａを有し、前記空間部に２つの導光部材５を収容した状態で前記係止爪４ａが対応する縦壁１８の係合穴１８ａに係合することで取り付けられる。導光部材５は、例えば、ポリメチルメタクリレート（ＰＭＭＡ）製であり、図５に示されるように、略Ｌ形からなり、Ｌ形水平部の基端５ａが配置部１７の左右中間に位置し、Ｌ形垂直部の上端５ｂが側面から突設されている。また、上端５ｂは、爪形に形成されていると共に、傾斜した上端面５ｃの先端付近まで及び上端面５ｃの角部５ｄ並びに上端面５ｃと対向した下面５ｇが鏡面に処理され、上端面５ｃの先端５ｅ及び先端５ｅから下向きになった端面５ｆが荒い面に処理されている（図５（ｂ）の拡大図を参照）。そして、２つの導光部材５は、図４に示されるように、枠部材４内にそれぞれ収容されかつ押さえ部材等にて保持された状態から、配置部１７に枠部材４を介して取り付けられる。取付状態では、導光部材５の上端５が上記した区画部１０の小窓１４ａに配置される。その後、枠部材４の下側には取付板７が取り付けられる。すると、光源６は、ホルダー８に装着された状態で各導光部材５の基端５ａに対向配置される。この光源６は、従来と同様に不図示の電源及びスイッチにより点灯・消灯されるようになっている。
【００１５】
（作動）以上のカップホルダーは次の様な利点が得られるよう工夫されている。
ア）、この構造では、保持部１１Ａ，１１Ｂに対し相対的に大きな外径の円筒状容器を挿入すると、フラップ部分２０Ａ，２０Ｂの先端側を容器で下向きに弾性変形し、かつ、当該容器をその変形した部分と保持部内の対向内周面側との間でがたつき無く保持できる。また、保持部１１Ａ，１１Ｂに対し相対的に小さな外径の容器を挿入すると、フラップ部分２０Ａ，２０Ｂの先端２２を容器周面に弾接し、かつ、当該容器をその先端２２と保持部内の対向内周面側との間でがたつき無く保持できる。勿論、保持部１２Ａ，１２Ｂには、矩形容器を収容保持したり携帯電話等の小物類を収容保持できる。
イ）、この構造では、例えば、自動車のセンターコンソールに対し複数の保持部、特に円筒状容器と矩形容器と言うように形状が全く異なる容器をそれぞれ専用の保持部１１Ａ，１１Ｂや保持部１２Ａ，１２Ｂに保持可能にする場合、保持部１１Ａと保持部１２Ａ、保持部１１Ｂと保持部１２Ｂとをそれぞれ開口１３を介して連通形成することで、両保持部内に亘って小物類や書類等を収容しておくことも可能となり、便利性を向上できる。
【００１６】
ウ）、この構造では、ホルダー本体１を夜間使用する場合、光源６が点灯される。すると、図５及び図６に示されるように、光源６の光は導光部材５を通って基端５ａより上端５ｂ側へ導かれ、上端５ｂの鏡面に処理されている上端面５ｃと角部５ｄで反射される。そして、該反射光のうち、角部５ｄで反射されたものは荒く処理された端面５ｆから保持部１２Ａ（１２Ｂ）内に下斜めに投光され、上端面５ｃで反射されたものは下面５ｇで再び反射されて荒く処理された上端面５ｃの先端５ｅから斜め上向きに投光される。この斜め上向きの光はフラップ２のフラップ部分２０Ａ（２０Ｂ）に入る。フラップ２は透明又は半透明の光透過性であるため、従来のごとくフラップによる影が生ぜず、全体の視認性及び使い勝手を大幅に向上できる。なお、図６では煩雑性を避けるため光線を簡略化している。
エ）、この構造では、フラップ２が光透過性と共にフラップ部分２０Ａ（２０Ｂ）にシボ加工を施しているため、フラップの突出部分を淡く光らせ、それにより視認性と共に斬新性を付与できる。また、この構造では、単一の光源６を２つの導光部材５を介して保持部１１Ａ，１１Ｂ内を同時に照明し、かつフラップ部分２０Ａ（２０Ｂ）を介して全体を視認できるようにしているため、構成部材を少なくできるだけではなく、電力消費量も倹約できる。
【００１７】
以上の形態は本発明を何ら制約するものではない。本発明は、請求項１の特定要件を除いて、この形態例を基にして種々変形可能なものである。その一例としては、本発明のフラップは図７のような揺動可能に枢支されるタイプでも差し支えない。
【図面の簡単な説明】
【００１８】
【図１】発明形態のカップホルダー要部を模式的に示す分解図である。
【図２】上記カップホルダー要部を上から見た図である。
【図３】上記カップホルダーの側面図である。
【図４】図２のＡ−Ａ線矢視断面図である。
【図５】上記カップホルダーの導光部材を示す図である。
【図６】本発明形態の作用を模式的に示す模式図である。
【図７】従来カップホルダーの問題を説明する図である。
【符号の説明】
【００１９】
１…ホルダー本体（１ａは前側、１ｂは後側、１９ａ，１９ｂは前後壁部）
２…フラップ（２０Ａ，２０Ｂはフラップ部分、２１は中間部）
３…カバー材（３ａは係止爪、３ｂは軸部）
４…枠部材
５…導光部材
６…光源
１０…区画部（１４は段差面、１５は係合穴、１６はボス、１４ａは小窓）
１１Ａ，１１Ｂ…保持部
１２Ａ，１２Ｂ…保持部
１３…開口
【図１】
2006069356.tif 000003
【図２】
2006069356.tif 000004
【図３】
2006069356.tif 000005
【図４】
2006069356.tif 000006
【図５】
2006069356.tif 000007
【図６】
2006069356.tif 000008
【図７】
2006069356.tif 000009